(57)【特許請求の範囲】
【請求項１】
バッグ類の挿入口を矩形状とみなした時、任意の隣接し合う角部の二カ所を始点箇所とし、ここより、それぞれの該角部の対角部で接合し、２枚の仕切り部が中心部で接合する帯状の仕切り部を設けたことを特徴とする、斜形仕切り部付きバッグ。
【請求項２】
バッグ類の挿入口を矩形状とみなした時、任意の角部を根本箇所として一方の端部を固定し、根本箇所の対角部を形成する長辺側の中間位置に対辺固定部を設けて折り返し、根本箇所の長辺側の隣角部で他方の端部を固定した帯状の仕切り部を設けたことを特徴とする、斜形仕切り部付きバッグ。
【発明の詳細な説明】
【技術分野】
【０００１】  本発明は、カバン、バスケット、ナップザック、財布等のバッグに関するものである。
【背景技術】
【０００２】  従来、矩形状とみなす挿入口の、一辺側または長辺側と同方向に設けられたポケットを有する、バッグ類がある。
【発明の開示】
【発明が解決しようとする課題】
【０００３】  そのために次のような問題があった。
（イ）バッグが小さければ入れられない物があり、大きければ内容物がぐらついた。
（ロ）長辺側と同じ方向の仕切り部を有する場合、短辺側を二分することになり、その幅  を越える物は入らない。
（ハ）短辺側と同じ方向の仕切り部を有する場合、長辺側を二分することになり、その幅  を越える物は入らない。
【課題を解決するための手段】
【０００４】  バッグ類の挿入口を矩形状とみなした時、任意の隣接し合う角部の二カ所を始点箇所としここより、それぞれの該角部の対角部で接合し、２枚の仕切り部が中心部で接合する仕切り部を設けたことを特徴とする。
【発明の効果】
【０００５】  仕切り部があっても、バッグの短辺側、長辺側の幅の物が入るようになった。
仕切り部には、斜めに設けることで収納物により接触面が増え、その形状に添い曲がることで固定出来ると共に張りが生まれ、ストッパーの機能が生じた。
仕切り部を対角部へ中を渡って設けるため、これが形状固定の機能を生じさせ、本体バックが自立し易くなった。
一つの空間に狭い箇所と広い箇所が出来るので、挿入する物の置き方が選べられる。
本体が柔らかい生地でも張りが生じ、開口状態で自立保持され易く物が入れ易くなった。
【発明を実施するための最良の形態】
【０００６】  以下、本発明の実施の形態について説明する。バッグ類の外郭部を本体と称し、この本体生地が柔らかければ物を挿入した時、側面部や底面部が変形するが、便宜上、これを図示しない場合がある。仕切り部は特に説明がない限り、矩形状の挿入口から見て図示する。取って部（５）の形状、有無は問わず、これを図示するとは限らない。
図１〜図３を用いて、仕切り部（２）が２方向１枚の第１形態を説明する。
図１は平面図である。図面左上の角部を根本箇所（１１）とし固定し、その隣角部の図面右上に、先端箇所（２４）を置き、ここを接合する。根本箇所の対角部を形成する図面下側の長辺側の中間位置に、仕切り部との接合による対辺固定部（２９）を設ける。ａは使用前、ｂは書類（１４）やその他を挿入した使用状態を示す。
図２は平面図で、仕切り部を側面側に添わせている。これは仕切り部を長く設けた場合で、大きい物を入れたい時にこの形に成形する。
図３は、仕切り部両端位置を角部より同じ長さでスライドし、スライド部（３４）を有する場合の平面図である。【０００７】  図４〜図１２を用いて、仕切り部（２）が２方向２枚の第２形態を説明する。
図４〜図を６用いて、２枚の仕切り部が中心部で接合する場合を説明する。
図４ａは平面図で、２枚の仕切り部の中間箇所（３６）での交叉状態を示し、ｂは、仕切り部上端（８）を本体の上端（２１）より低く設けた場合の、Ｂ−Ｂ断面図である。
図５、図６で作り方の例を示す。図５は２枚の生地イとロをそれぞれ前図４の形状で、本体の短辺側に添う位置で接合する場合の、先ず左図の２枚の生地上端側の状態から、それらを中間箇所で繋いだ状態へ、また、本体に填め込んだ状態への変化を示す。図６で仕切り部を対角線の長さを越えて設ける場合には、直線状にはならず、対角線上には添わず半円形状になる場合もあることを示す。中間箇所で４枚の生地を接合して設ける、またはもとから×状に形成された仕切り部の場合は、そのまま本体内に填め込み４箇所の角部に接合する。あるいは着脱可能に、本体角部内部に溝を設けて、仕切り部の上端から側端に張り箇所（１９）を設けそれを差し込む方法等もある。【０００８】  図７〜図９を用いて、エコバッグで使い方を説明する。
仕切り部（２）によって４カ所の空間部が生じるが、図７の平面図の空間部にホ、ヘ、ト、チの名称を印して説明する。図８はキャベツ等の大きい物（１３）が、短辺側の空間部ホに挿入可能な場合の使用図である。大きい物が挿入不可の場合には、図９ａのように、空間部トまたは空間部チから挿入する。底部が柔軟であったり、仕切り部と底部との間隔が挿入物の直径程度あれば、当挿入物はその間に収まり、本体底部が硬かったり、間隔がその直径以内であれば、ｂのように仕切り部の一部を押しつけた状態で収まる。【０００９】  図１０〜図１２を用いて、空間部の大きさを変えられる形態について説明する。
図１０、図１１を説明する。
挟み具を設ける場合では、挟み具は仕切り部が垂れ下がることのないよう、軽量で張りのあるプラスティック材等を使用する方が望ましい。図１０ａはアルファベッドＯ状かＵ状の挟み具（３８）、ｂはその挟み具で２枚の仕切り部（２）を束ねた場合の当箇所の斜視図である。挟み具下端を本体の底面部（１２）に接合する場合を、ｃで示す。図１１で機能について説明すると、前図７のように通常は同じ広さの空間部ホ、ヘの一方を、挟み具を片側に移動することによって広くすることが出来ることを示す。前図９の場合の大きい物（１３）でも、空間部ホより挿入可能となる。
その他の場合で仕切り部をゴム材やギャザー状でゆとりがあるように設ける。
図１２を用いて、仕切り部の中間箇所（３６）を回転箇所（３９）とした、形態を説明する。前図５での接合説明での、ａは仕切り部イ側を半円状にし、仕切り部ロ側を芯にして接合した場合の平面図、ｂはａの円内拡大図である。この位置を着脱可能にも出来る。
【図面の簡単な説明】
【００１０】
【図１】  本発明の第１形態の平面図と使用図である。
【図２】  本発明の第１形態の平面図である。
【図３】  本発明の第１形態の平面図である。
【図４】  本発明の第２形態の平面図と断面図である。
【図５】  本発明の第２形態の作り方図である。
【図６】  本発明の２平面図である。
【図７】  本発明の２平面図である。
【図８】  本発明の２使用図である。
【図９】  本発明の２使用図である。
【図１０】  挟み具とその装着状態を示した斜視図である。
【図１１】  挟み具とその装着状態を示した平面図である。
【図１２】  本発明の第２形態のａは平面図、ｂはａの円内拡大図である。
【符号の説明】
【００１１】  ２  仕切り部
５  取って部
８  仕切り部上端
１０  仕切り部下端
１１  根本箇所
１２  底面部
１３  大きい物
１４  書籍
１６  大根
１９  張り箇所
２１  上端
２４  先端箇所
２８  蓋部
２９  対辺固定部
３４  スライド部
３５  上端中央位置
３６  中間箇所
３８  挟み具
３９  回転箇所
【図１】
0005370837.tif 000002
【図２】
0005370837.tif 000003
【図３】
0005370837.tif 000004
【図４】
0005370837.tif 000005
【図５】
0005370837.tif 000006
【図６】
0005370837.tif 000007
【図７】
0005370837.tif 000008
【図８】
0005370837.tif 000009
【図９】
0005370837.tif 000010
【図１０】
0005370837.tif 000011
【図１１】
0005370837.tif 000012
【図１２】
0005370837.tif 000013